(57)【要約】【課題】食器洗浄機は洗浄水を、ヒータを使用して温水にして使用しているが小型化のため洗浄槽と外皮化粧板とのスペースを小さくすることと生産性をあげるため断熱材はほとんど使用していないので外皮化粧板をおさえているリブを通して熱が外部に放散するため加熱効率が悪い。本発明は、上記の問題に鑑み、断熱を容易にした食器洗浄機を提供することを目的とする。【解決手段】本発明は、断熱による生産性を上げるため、洗浄槽を上部洗浄槽と下部洗浄槽に分離し、複雑な形状をした上部洗浄槽は通常の樹脂成形と発泡成形のダブル成形を行うことにより、成形をし易くし、連続リブと外皮化粧板との接触面積を小さくして熱伝導が小さくなるようなリブ形状とすることにより断熱性を向上し、且つ生産性も上げたことを特徴とする。【選択図】図２
2007215885.tif 000002
【特許請求の範囲】
【請求項１】
食器を収納する洗浄室と、洗浄水を前記洗浄室内に噴射する回転ノズル体と、前記洗浄室の底側に設けられ、かつ洗浄槽が貯水部を構成する上部洗浄槽と下部洗浄槽で構成された食器洗い機において、上部洗浄槽及び下部洗浄室は同一材料で内側を非発泡樹脂で外側を発泡樹脂によりダブル成形したこと特徴とする食器洗浄機。
【請求項２】
食器を収納する洗浄室と、洗浄水を前記洗浄室内に噴射する回転ノズル体と、前記洗浄室の底側に設けられ、かつ洗浄槽が貯水部を構成する上部洗浄槽と下部洗浄槽で構成された食器洗い機において、上部洗浄槽は外皮化粧板と接触面積が小さくなるように円錐形状のリブで構成し、且つ、連続したリブの上面部は根元より１／２〜１／３とし、下部洗浄室は同一材料で内側を非発泡樹脂で外側を発泡樹脂により成形したこと特徴とする食器洗浄機。
【請求項３】
請求項２記載の食器洗浄機において、円錐形状のリブは連続したリブにより複数の閉空間で構成していることを特徴とする食器洗浄機。
【請求項４】
請求項１〜３記載の食器洗浄機において、発泡樹脂により成形する部分は洗浄水の貯水部水面としたことを特徴とする食器洗浄機。
【請求項５】
請求項１〜４記載の食器洗浄機において、非発泡樹脂より発泡樹脂部の厚さを厚くしたことを特徴とする食器洗浄機。
【発明の詳細な説明】
【技術分野】
【０００１】
本発明は、生産性がよく断熱性に優れた食器洗浄機の改良に関する。
【背景技術】
【０００２】
食器洗浄機の天面に断熱材を備えたもの食器洗浄機は、例えば、特開平１０−127553号公報（特許文献１）に記載されている。
【０００３】
また、側壁外面に断熱シートを設けた食器洗浄機は、例えば、特開平１１−299719号公報（特許文献２）に記載されている。
【０００４】
【特許文献１】特開平１０−１２７５５３号公報
【特許文献２】特開平１１−２９９７１９号公報
【発明の開示】
【発明が解決しようとする課題】
【０００５】
食器洗浄機は洗浄水を、ヒータを使用して温水にして使用しているが小型化のため洗浄槽と外皮化粧板とのスペースを小さくすることと生産性をあげるため断熱材はほとんど使用していないので外皮化粧板をおさえているリブを通して熱が外部に放散するため加熱効率が悪い。
【０００６】
本発明は、上記の問題に鑑み、断熱を容易にした食器洗浄機を提供することを目的とする。
【課題を解決するための手段】
【０００７】
本発明は、断熱による生産性を上げるため、洗浄槽を上部洗浄槽と下部洗浄槽に分離し、複雑な形状をした上部洗浄槽は通常の樹脂成形と発泡成形のダブル成形を行うことにより、成形をし易くし、連続リブと外皮化粧板との接触面積を小さくして熱伝導が小さくなるようなリブ形状とすることにより断熱性を向上し、且つ生産性も上げたことを特徴とする。
【発明の効果】
【０００８】
本発明によれば、洗浄水の加熱による熱放散が洗浄槽の断熱により使用電力量が低減でき省エネ効果ができるとともに生産性のよい断熱構造をした食器洗浄機を提供できる。
【発明を実施するための最良の形態】
【０００９】
本発明の実施例について、図を引用して説明する。まず、図１，図１２，図２，図３に示される食器洗浄機の概要から順を追って説明する。
【００１０】
食器洗浄機の本体外枠１内には、洗浄室２が備わる。洗浄室２には、食器かご３が備えられる。洗浄室２は上部洗浄槽２０１と下部洗浄槽２０２で構成されており、各々非発泡樹脂２０３，２０４で内側は成形され、外側は発泡樹脂２０５，２０６で成形されている。その外側は外皮化粧板２０７が被せられ外観を維持している。上部洗浄槽２０１と下部洗浄槽２０２の構造を比較すると下部洗浄槽２０２の方が上部洗浄槽２０１より複雑になっている。これは下部洗浄槽２０２の部分には各種部品及び電気部品等が装備されるためである。それに比較して、上部洗浄槽２０１は外皮構造部のため構造が簡素となっている。なお、上下に洗浄槽を分割したのは射出成形の金型を小さくして成形機の容量を小さくすることにより汎用の成形機を使用することにある。成形は１つの金型でダブル成形により非発泡と発泡の樹脂成形を行っている。本実施例では非発泡樹脂部を成形する内側の金型は共通でいわゆる固定型となっており、外側の型が非発泡樹脂と発泡樹脂の２種類の型で構成されており各々射出口を単独に備えて型が移動する可動型となっている。最初に非発泡樹脂部を成形した後、発泡樹脂部を成形する。本方式は固定型を基準に成形ができるので精度を必要とされる部分の成形に適している。別な方式では一旦非発泡樹脂で成形したものを別な発泡樹脂成形で２回別々に行う方法もあるが精度の高い、合わせ部分が多い部品の成形には向かない。非発泡樹脂２０３，２０４と発泡樹脂２０５，２０６の材質は同じ方が樹脂同士の密着性がよいので、できるなら同じ方がよい。また、発泡性樹脂の部分は強度をもたせる必要は無いので発泡率を上げて断熱作用をできるだけ向上させて使用するので外皮化粧板２０７の押えには非発泡樹脂２０３，２０４と円錐形状リブ２０９を併用してもよい。発泡樹脂２０５，２０６を使用しないときの構成は図１２に示すように連続したリブ２０８は根元の幅より先端部は１／２〜１／３にすることにより外皮化粧板２０７との接触面積を小さくして熱伝導を小さくしている。また、この内側には円錐形状リブ２０９が複数個配置されている。円錐形状リブ２０９は外皮化粧板２０７との接触部は円錐の頂点部になるので接触面積が小さくなるので熱伝導が少なくなり放熱が低減できる。また、連続したリブ２０８により囲まれているため空気の移動により、いわゆる対流による熱放散が低減できる。なお、リブの高さは小さいほど対流が少なくなるのでよいと同時に外皮化粧板２０７との間隙が小さくなるので小型化ができる。本実施例では５〜
１０mm程度としている。また、連続したリブの閉空間についてはこれもできるだけ小さい方が同様の理由でよいがリブによる伝導と閉空間による対流による放熱のバランスにより決定してもよい。リブ方式を採用することにより、特殊なダブル成形機を使用しないで上部洗浄槽２０１を成形することができる。
【００１１】
下部洗浄槽２０２の発泡樹脂２０６部については洗浄水の水位レベルまであればこの部分まで洗浄水がヒータで加熱され温水となるので断熱効果は出せる。
【００１２】
洗浄室２の上側と下側には、回転ノズル体４が設けられる。回転ノズル体４は、洗浄水を噴射する複数の噴射口を有し、噴射洗浄水で食器かご３に並ぶ食器類を洗浄する。
【００１３】
洗浄水が貯溜する貯溜部５は、洗浄室２の底に設けられる。貯溜部５に注がれて溜まる洗浄水の貯水量は、２.８リットル程度である。
【００１４】
本体外枠１は、前面に上蓋６と下蓋７を備える。この上蓋６と下蓋７により、洗浄室２は開け閉めされる。上蓋６は本体外枠１の前面から上面にかけて形成される円弧に沿って回動するように開閉作動する。下蓋７は、下端側を支点として開閉作動する。開かれた下蓋７は、概ね水平状態に置かれる。
【００１５】
上蓋６は、透明窓８を有する。この透明窓８から洗浄室２の内部が覗かれる。食器洗浄機の洗浄状態を目視できる。
【００１６】
貯溜部５は、洗浄室２の底部前側に設けられ、横方向に延びた樋形状をしている。この樋形をした貯溜部５には、図４，図５，図６に示すようにシーズヒータの発熱線で作られたヒータ９が這うように設けられる。
【００１７】
ヒータ９の下側には、合成樹脂で作られた貯溜部５を熱から保護する樋形をした下側の保護カバー２０が設けられる。ヒータ９の上には、ヒータ９を上から覆うように上側の保護カバー２１が設けられる。上側の保護カバー２１には、径が数mmの流通穴２２が多数設けられる。上／下の保護カバー２０，２１は、ステンレス鋼板で形成される。流通穴２２が多数あるので、図６に示すように、ヒータ９の真上に流通穴２２が存在するようになる。
【００１８】
ヒータ９の引出端子３０は、貯溜部５の左側の端側（図３の図示）に設けられる。引出端子３０の反対側になる貯溜部５の底部には、流出口２３が設けられる。流出口２３は、洗浄循環ポンプ２４，排水ポンプ２５に連通するように接続される。
【００１９】
洗浄循環ポンプ２４の吐き出し側は、洗浄水の水路２６を介して回転ノズル体４に連通される。洗浄循環ポンプ２４の運転により、洗浄水は回転ノズル体４の噴射口から噴射し、その反動で回転ノズル体４は回転するので、広い範囲に洗浄水の噴射が行われる。
【００２０】
排水ポンプ２５の吐出側は、排水口（図示せず）に連通する。排水ポンプ２５の運転により、貯溜部５に溜まった洗浄水を残らず排水することができる。
【００２１】
水位センサー２７は、貯溜部５に溜まる水位を検知する。貯溜部５に連通する連通管
２８を設け、この連通管２８の先に水位センサー２７が取り付けられる。水位センサー
２７で、貯溜部５の水位を検知して食器洗浄機の運転は制御される。
【００２２】
噴霧手段２９は、図３に示すように、洗浄室２の側面に備えられる。この噴霧手段２９は、洗浄室２の奥側面に備えても良い。噴霧手段２９は、横に並ぶ複数の噴射ノズル部
４０を有する。噴射ノズル部４０は、縦並びに配置しても良い。
【００２３】
噴射ノズル部４０は、図７，図８に示すように、内部に円形状の駒収納室４１を、前側に噴霧口４２を有し、駒収納室４１と噴霧口４２は連通している。駒収納室４１に収納される霧化中駒４３は、外周に螺旋溝４４を有する。噴霧口４２が洗浄室２内に向くように噴霧手段２９は設けられる。
【００２４】
噴霧手段２９は図３に示すように、噴霧給水路４５を介して水道管４６の給水電磁弁
４７に連通するように接続される。噴霧給水路４５には、減圧弁４８を設ける。
【００２５】
減圧弁４８は、図９に示すように、圧力逃口４９と、圧力逃口４９を塞ぐように設けた弁体５０と、弁体５０を圧力逃口４９に押し付けるように付勢するバネ５１と、圧力逃口４９の下流側に連通する逃口流路５２とを有する。この逃口流路５２が洗浄室２に臨むように減圧弁４８は備えられる。
【００２６】
食器洗浄機の制御回路について、図１０を引用して述べる。
【００２７】
商用電源６０は、コンセント６１，電源スイッチ６２，電源ヒューズ６３を介して各種負荷、直流電源用整流回路６４に接続される。マイコンを主体とした主制御回路６５，駆動回路６６には、直流電源用整流回路６４より直流が供給される。
【００２８】
サーミスタ６７，水位センサー２７の検知信号は、主制御回路６５に読まれて各種の制御が行われる。表示装置６９は、主制御回路６５の指示により食器洗浄機の運転に関する表示が行われる。
【００２９】
各種負荷は、全負荷スイッチ８０を介して商用電源６０に接続される。
【００３０】
シーズヒータを用いたヒータ９の回路は、直列に接続されるサーモスイッチ８１，温度ヒューズ８２，サーモスイッチ８３を有する。このヒータ９の回路は、全負荷スイッチ
８０を介して商用電源６０に接続される。
【００３１】
サーモスイッチ８１，温度ヒューズ８２，サーモスイッチ８３は、ヒータ９の近傍である下側の保護カバー２０に設けられる。ヒータ９が、２８０℃を越えた過熱し過ぎのときにサーモスイッチ８１，温度ヒューズ８２，サーモスイッチ８３が作動してヒータ９の過熱防止をする。
【００３２】
サーミスタ６７は、下側の保護カバー２０に設けられ、貯溜部５に溜まる洗浄水の加熱を制御する。ヒータ９で加熱される洗浄水の温度は、サーミスタ６７により検知され、その温度情報は主制御回路６５に提供される。主制御回路６５は、サーミスタ６７の検知温度が、例えば、６０℃に達したら、ヒータ９の通電を止める指示をする。
【００３３】
全負荷スイッチ８０は、駆動回路６６によりオン・オフの作動が行われる。駆動回路
６６には、直流電源用整流回路６４より直流が供給され、主制御回路６５の指示にしたがって負荷のオン・オフを行う。
【００３４】
給水電磁弁４７は、給水電磁弁スイッチ８５，全負荷スイッチ８０を介して商用電源
６０に接続される。給水電磁弁スイッチ８５は、駆動回路６６によりオン・オフの作動が行われる。
【００３５】
切換弁モータ８６は水路２６の途中に設けられ、洗浄室２の上側と下側に備わる回転ノズル体４への洗浄水の分配をしている。水路２６を示す図中では、切換弁モータ８６は省略されている。切換弁モータ８６は、切換弁モータスイッチ８７，全負荷スイッチ８０を介して商用電源６０に接続される。切換弁モータスイッチ８７は、駆動回路６６によりオン・オフの作動が行われる。
【００３６】
洗浄兼排水モータ８８は、前述した洗浄循環ポンプ２４と排水ポンプ２５を駆動する。例えば、洗浄兼排水モータ８８の正転で洗浄循環ポンプ２４がポンプとして機能し、逆転で排水ポンプ２５がポンプとして機能するようになっている。
【００３７】
洗浄兼排水モータ８８は、コンデンサーランの単相誘導電動機で、並列に設けられる正転用スイッチ８９Ａ，逆転用スイッチ８９，全負荷スイッチ８０を介して商用電源６０に接続される。正転用スイッチ８９Ａ，逆転用スイッチ８９は、駆動回路６６によりオン・オフの作動が行われる。
【００３８】
ファンモータ用トランス１００は、一次側が全負荷スイッチ８０を介して商用電源６０に接続される。ファンモータ用トランス１００の一次側には、ファンモータ１０１が整流器１０２，ファンモータスイッチ１０３を介して接続される。ファンモータスイッチ103は、駆動回路６６によりオン・オフの作動が行われる。
【００３９】
ファンモータ１０１は、洗浄室２内に温風や冷風の循環を行う。この温風や冷風の循環により、洗浄後を食器類は、速やかに乾燥される。
【００４０】
食器洗浄機の動作を図１１に沿って説明する。
【００４１】
図１１の運転動作行程は、食器洗浄機の標準的な行程を示す。
【００４２】
標準的行程は、予洗い，本洗い，すすぎ（１），すすぎ（２），加熱すすぎ，乾燥，終了と推移する。
【００４３】
さて、電源スイッチ６２をオンし、表示装置６９より標準コースを選択してスタートスイッチ（図示せず）をオンすることにより、運転が開始される。
【００４４】
予洗いに先立ち、洗浄兼排水モータ８８により排水ポンプ２５を運転して排水の実行が行われる。これは、排水を行わずに食器洗浄機を止めることもあるので、排水の行程を設けるようにした。
【００４５】
世洗いの行程に入ると、ヒータ９に通電されて加熱される。これと同時に給水電磁弁
４７の通電により、給水電磁弁４７が開かれて噴霧手段２９の噴霧ノズル部４０からミストシャワー（噴霧）が行われる。
【００４６】
この噴霧の給水では、ヒータ９の温度は上限値（２３０℃〜２８０℃），下限値（180℃〜２２０℃）に設定されている。つまり、上限値（２３０℃〜２８０℃）を上回る温度になると、ヒータ９の通電をオフし、下限値（１８０℃〜２２０℃）を下回る温度になると、ヒータ９の通電はオンするように制御を行っている。
【００４７】
噴霧ノズル部４０の噴霧口４２から噴射される噴霧の粒子は、マイクロミストレベル程度の微粒子で、食器類や食器についている汚れに付着する。また、微粒子の噴霧は、上側の保護カバー２１の流通穴２２を通り、ヒータ９に接触して水蒸気に気化する。マイクロミストレベル程度の微粒子は、粒が微細なので水蒸気の生成がよく行われる。
【００４８】
気化した水蒸気は、流通穴２２を通り、上昇して微粒子の噴霧と混ざって食器類や食器についている汚れに付着する。この微粒子の噴霧と水蒸気の付着により、汚れは高温高湿に包まれ、自然にふやけて流れ落ちる。また落ち易くなる。
【００４９】
この噴霧による噴霧給水とヒータ９による加熱は、所定量の洗浄水が貯溜部５に溜まるまで続けられる。貯溜部に溜める洗浄水の量は、通常、２.８リットル である。早くて、１分程度かかる。数分かけて、ゆっくり給水することにより、高温高湿に包まれ時間が長くなるので、汚れ落ちが促進される。
【００５０】
給水時間の遅延は、噴霧給水を間欠的にすることにより実現する。噴霧ノズル部４０にかける水道水の圧力を下げたり、噴霧ノズル部４０の噴霧口４２を絞ったりする仕方もあるが、間欠的な噴霧給水は、給水電磁弁４７の開閉で対応できるので容易に実現できる。
【００５１】
ヒータ９は、本来的には、貯溜部５に溜めた洗浄水を洗い運転前に６０℃程度まで加熱したり、温風乾燥に際して循環空気を温めるために存在する。このヒータ９を噴霧給水時の加熱に利用することにより、水蒸気の生成ができ、従来例のような専用の水蒸気発生機を備える不要がなく、安価になるとともに水蒸気発生機に占められて洗浄室のスペースが狭まることもない。
【００５２】
噴霧給水時には、ヒータ９の通電を断続的に行う。ヒータ９は、噴霧給水時には噴霧の気化熱しか奪われないので、直に過熱温度を越える。過熱温度を越えると、サーモスイッチ８１，温度ヒューズ８２，サーモスイッチ８３が作動して、加熱不能になる。ヒータ９の通電を断続的に行うことにより、サーモスイッチ８１，温度ヒューズ８２，サーモスイッチ８３の作動を抑えて、噴霧給水時の加熱を確実に行うことができる。
【００５３】
水位センサー２７は、貯溜部５に所定量の洗浄水が溜まると、接点２７Ａがオンする。主制御回路６５は、接点２７Ａのオン信号を読んで、給水電磁弁４７を閉じる指示をして給水電磁弁４７が閉じられる。水位センサー２７の接点２７Ａは、貯溜部５に溜まる洗浄水の量がオーバフローに達すると、オンして主制御回路６５に知らせる。
【００５４】
所定量の洗浄水が貯溜部５に溜まった後（接点２７Ａオン）は、ヒータ９の通電が連続に行われて洗浄水の加熱が促進される。貯溜部５に所定量の洗浄水が溜まると、ヒータ９は洗浄水に十分に浸かる。ヒータ９の温度上昇は抑えられて過熱することはなくなるので、連続な通電に切り替えて洗浄水の加熱を早めるようにしている。
【００５５】
洗いの運転に移行すると、洗浄兼排水モータ８８により洗浄循環ポンプ２４の運転が行われる。温められた貯溜部５内の洗浄水は、洗浄循環ポンプ２４，洗浄水の水路２６を経て回転ノズル体４から洗浄室２に広範囲に噴射され、食器かご３に並ぶ食器類の洗浄が行われる。
【００５６】
この回転ノズル体４の噴射による洗浄に先立ち、既に噴霧給水と加熱により、汚れが流されたり、ふやけたりしているため予洗いの洗浄が効果的に行われる。
【００５７】
なお、洗剤の使用は、噴霧給水と加熱に洗いを終えた後から使用するのが望ましい。
【００５８】
回転ノズル体４の噴射による洗浄中も水位センサー２７により貯溜部５内の水位は、検知されている。洗浄循環ポンプ２４の運転で、水位センサー２７の接点２７Ａがオフになって追加給水は行われない。回転ノズル体４の噴射による洗いの途中で洗浄循環ポンプ
２４の運転を止め、水位センサー２７の接点２７Ａがオンに戻らないで、オフが継続するときは、洗浄水が漏れていると、主制御回路６５は判断し、表示装置６９はアラームの表示等をするとともに運転を止める。
【００５９】
洗浄水の温度は、回転ノズル体４の噴射による洗浄中も水位センサー２７により検知されている。検知温度が６０℃なったら、ヒータ９の通電を止め、６０℃を下回ると通電して洗浄水の温度が一定になるように制御している。
【００６０】
回転ノズル体４の噴射による洗いの所定時間が経過すると、洗浄循環ポンプ２４の運転を止め、排水ポンプ２５を運転して洗浄後の洗浄水を排水する。所定の排水時間が経過したら排水ポンプ２５を止める。こうして、予洗いの行程は終える。
【００６１】
予洗いの行程後に本洗い行程が行われる。
【００６２】
本洗い行程は、予洗いの行程と内容的には変わらない。本洗い行程では、洗いはもっぱら（加熱洗い）になるが、予洗いの行程では（加熱洗い）と加熱しない常温での（洗い）が任意に選択できるところが違う。
【００６３】
本洗い行程の後にすすぎ（１），すすぎ（２）の行程が引き続き行われる。すすぎ(１)，すすぎ（２）は、同じ内容である。すすぎを二度することにより、食器のより良く濯がれる。
【００６４】
すすぎ（１），（２）は、噴霧給水と加熱をしないで噴霧給水するところ、加熱洗いをしないところが本洗い行程と違う。すすぎ（１），（２）では、洗いの前に加熱をしない噴霧給水が行われる。
【００６５】
この噴霧給水により、本洗い中、すすぎ（１）に再付着した細かな汚れが流し落される。すなわち、噴射ノズル部４０から噴射する微粒子の噴霧は極く細かで、洗浄室内に万遍なく噴霧される。このため、微粒子の噴霧が、食器類はもちろん、食器かご、洗浄室の内面に隈無く付着して、再付着した細かな汚れを流してしまう。
【００６６】
ここで、加熱を伴わない噴霧給水をしたのは、再付着した細かな汚れは、ふやかさなくても十分に流れ落ちるからである。
【００６７】
このように回転ノズル体４の噴射によるすすぎの前に予め、再付着した細かな汚れを流してしまうので、すすぎがより効果的に行われるのである。
【００６８】
すすぎ（２）の行程の後に加熱すすぎの行程に移る。
【００６９】
加熱すすぎの行程は、加熱洗いをするところがすすぎ（１），（２）と違う。加熱洗いで暖めることにより、後に続く乾燥を速めることができる。
【００７０】
加熱すすぎの行程の後に乾燥の行程を踏んで、食器洗浄機の運転は終了する。乾燥の行程では、先に温風の乾燥を行う。先の加熱すすぎで、温っているので乾燥は迅速に行われる。
【００７１】
この乾燥の行程では、ヒータ９の温度は上限値（２００℃〜２２０℃），下限値（180℃〜２１０℃）に設定されている。つまり、上限値（２００℃〜２２０℃）を上回る温度になると、ヒータ９の通電をオフし、下限値（１８０℃〜２１０℃）を下回る温度になると、ヒータ９の通電はオンするように制御を行っている。
【００７２】
温風の乾燥後にヒータ９の加熱をしない送風の乾燥が行われる。送風の乾燥をして食器類が直ぐ使えるように冷やす。
【００７３】
最後にブザーの報知で終了を知ることができる。
【００７４】
本実施例における、断熱効果について以下説明する。洗浄槽について各部の１℃あたりに上げるのに必要な熱量を実測すると洗浄水は３,５００ｇ なので洗浄水の熱量Ｈａは
３,５００calとなる。槽内を上げるために必要な熱量Ｈｂは２,５００cal、食器を上げるために必要な熱量Ｈｃは１,８２０cal、槽外から逃げる熱量Ｈｄは９８０cal となる。使用シーズヒータの熱量は１,１００(Ｗ) を使用しているので毎分あたりの発生熱量Ｈｈは
１５,８４０calとなり毎分あたりの洗浄水の温度上昇Ｔは
Ｔ＝１５,８４０／（Ｈａ＋Ｈｂ＋Ｈｃ＋Ｈｄ）
となりＴは１.８℃／分 となります。なお、槽外から逃げる熱量については上部洗浄槽と下部洗浄槽で比較すると約１：（３〜７）程度となりほとんど下部洗浄槽から逃げている。これは、温度の高い洗浄水は洗浄ポンプにより洗浄槽内を循環しているが常に漬かっているのは下部洗浄槽のみでこの部分から熱伝導で逃げる部分が多いためである。これにより、洗浄水位の部分までの断熱は他の部分に比較して断熱効率が良くなる。また、断熱による効果は１００％として全体の１１％となるので、実際の効果は発泡樹脂を使用したときとリブを使用したときでは効果が異なり前者では約７０％程度として約７.７％ 程度となり、後者では約２０％として２.２％ となる。
【００７５】
発泡部分を厚くすることにより、構造部材の一部として使用し、断熱効果を上げると同時に洗浄槽内を循環する洗浄水が槽内の壁や食器にあたって発生する音を遮蔽する効果があり、同時に非発泡樹脂部を薄くすることができるので洗浄槽による熱容量を低減できるので節電効果がある。
【００７６】
本発明である断熱した洗浄槽を使用した場合は、続けて洗浄を行う場合には洗浄槽の温度が下がらないうちに次の洗浄工程に入ることができるので余熱を有効に利用できる。また、洗浄槽を通して外部に放散する熱量は加熱すすぎの温度が高い程多くなるので同じ放熱量であれば洗浄槽を断熱することにより加熱すすぎ時の温度を上げることができる。
【図面の簡単な説明】
【００７７】
【図１】本発明の実施例に係わるもので、食器洗浄機の外観斜視図。
【図２】本発明の実施例に係わるもので、食器洗浄機を側面から見た断面図。
【図３】本発明の実施例に係わるもので、食器洗浄機を正面から見た断面図。
【図４】本発明の実施例に係わるもので、ヒータの関連構成を示す斜視図。
【図５】本発明の実施例に係わるもので、ヒータの関連構成を示す分解図。
【図６】本発明の実施例に係わるもので、ヒータの関連構成を上から見た平面図。
【図７】本発明の実施例に係わるもので、噴霧手段の断面図。
【図８】本発明の実施例に係わるもので、噴霧手段の霧化中駒を示す図。
【図９】本発明の実施例に係わるもので、噴霧給水路と減圧弁の断面図。
【図１０】本発明の実施例に係わるもので、制御回路を示す図。
【図１１】本発明の実施例に係わるもので、食器洗浄機の動作フローを示す図。
【図１２】本発明の実施例に係わるもので、食器洗浄機の外皮化粧板と洗浄槽のリブ部の部分断面を示す。
【符号の説明】
【００７８】
２…洗浄室、４…回転ノズル体、９…ヒータ、２９…噴霧手段、２０１…上部洗浄槽、２０２…下部洗浄槽、２０３，２０４…非発泡樹脂、２０５，２０６…発泡樹脂、２０７…外皮化粧板、２０８…連続したリブ、２０９…円錐形状リブ。
【図１】
2007215885.tif 000003
【図２】
2007215885.tif 000004
【図３】
2007215885.tif 000005
【図４】
2007215885.tif 000006
【図５】
2007215885.tif 000007
【図６】
2007215885.tif 000008
【図７】
2007215885.tif 000009
【図８】
2007215885.tif 000010
【図９】
2007215885.tif 000011
【図１０】
2007215885.tif 000012
【図１１】
2007215885.tif 000013
【図１２】
2007215885.tif 000014